(57)【要約】ホースクリップ（２）をホース端部（２４）に事前に位置決めするための装置であって、ａ）ホースクリップ（２）の環状部分に解除不能に接続されかつホース端部（２４）に締結される固定部（１）と、ｂ）１つ以上の、好ましくは２つの固定部（１、１’’）であって、これらの固定部が各々の場合にＵ字形要素を有し、このＵ字形要素がホース端部（２４）に締結されて、Ｕ字形要素の開口側（３）を介してホース表面の方に向く固定部とを備え、ここで、２つのＵ脚部（４、５）を接続するウェブ（６）は軸方向に延びかつホース表面に対し平行に延び、ホース端部（２４）に最も近く位置するＵ脚部（４）が接続要素（７）を有し、この接続要素によってＵ字形要素はホース端部（２４）の端側に締結され、ここで、Ｕ字形要素の構成は、ホースクリップ（２）が締め付け中に固定から解除されるように、ホース端部（２４）に引き寄せられるホースクリップ（２）が環状部分によってＵ字形要素の中間空間（８）に解除可能に固定され、ホースクリップ（２）が締め付けられたあとは、固定部（１）が機能しないでホース端部（２４）に留まるように構成される、装置。
2010501797.tif 000002
【特許請求の範囲】
【請求項１】
ホースクリップ（２）をホース端部（２４）に事前に位置決めするための装置であって、
ａ）前記ホースクリップ（２）の環状部分に解除不能に接続されかつ前記ホース端部（２４）に締結される固定部（１’）と、
ｂ）１つ以上の、好ましくは２つの固定部（１、１’’）であって、前記固定部の各々がＵ字形要素を有し、該Ｕ字形要素が前記ホース端部（２４）に締結されて、該Ｕ字形要素の開口側（３）を介して前記ホース表面の方に向く前記固定部とを備え、ここで、２つのＵ脚部（４、５）を接続するウェブ（６）は軸方向に延びかつ前記ホース表面に対し平行に延び、前記ホース端部（２４）に最も近いＵ脚部（４）は接続要素（７）を有し、該接続要素（７）によって前記Ｕ字形要素が前記ホース端部（２４）の端側に締結され、ここで、前記Ｕ字形要素の設計は、前記ホースクリップ（２）が締め付け中に固定から解除されるように、前記ホース端部（２４）に引き寄せられる前記ホースクリップ（２）が環状部分によって前記Ｕ字形要素の前記中間空間（８）に解除可能に固定され、前記ホースクリップ（２）が締め付けられたあとは、前記固定部（１）が機能しないで前記ホース端部（２４）に留まるように、設計されるか、あるいは、前記Ｕ字形要素の設計は、前記ホース端部（２４）に引き寄せられる前記ホースクリップ（２）が環状部分によって前記Ｕ字形要素の前記中間空間（８）に固定されずに配置されるが、前記２つのＵ脚部（４、５）によって軸方向変位に対抗して固定され、前記ホースクリップ（２）が締め付けられたあとは、前記固定部（１）が機能しないで前記ホース端部（２４）に留まる、ように設計される、装置。
【請求項２】
好ましくはスポット溶接によって解除不能に前記ホースクリップ（２）の前記環状部分に接続される前記固定部（１’）が、前記環状部分に、前記固定部（１’）が前記ホース端部（２４）に取り付けられたあと、前記ホースクリップ（２）が前記ホース表面の前記環状部分の領域にあるように接続されることを特徴とする、請求項１に記載の装置。
【請求項３】
前記ホースクリップ（２）の前記環状部分に解除不能に接続される前記固定部（１’）がＵ字形要素を有し、該Ｕ字形要素が、前記ホース端部（２４）に締結されて、該Ｕ字形要素の開口側を介して前記ホース表面の方に向き、前記２つのＵ脚部（４’）を接続する前記ウェブ（６’）が軸方向に延びかつ前記ホース表面に対し平行に延び、前記ホース端部（２４）に最も近い前記Ｕ脚部（４’）が接続要素（７’）を有し、該接続要素によって前記Ｕ字形要素が前記ホース端部（２４）の端側に締結されることを特徴とする、請求項２に記載の装置。
【請求項４】
前記ホース端部（２４）に取り付けられる前に、前記固定部（１、１’、１’’）と前記ホースクリップ（２）とを接続して１つのユニットを形成することができることを特徴とする、請求項１〜３のいずれか一項に記載の装置。
【請求項５】
前記解除可能な固定が、前記環状部分と前記Ｕ脚部（４、５）との間の解除可能なスナップイン接続又はラッチ接続によって達成されることを特徴とする、請求項１〜４のいずれか一項に記載の装置。
【請求項６】
前記環状部分の前記解除可能な固定のために、前記Ｕ脚部（４、５）の内側の各々が、前記ウェブ（６）に向かって、前記環状部分の側縁を解除可能に掛止できるアンダカットを形成する１つ以上のフック、スタッド、バルジ又は他の突出部を有することを特徴とする、請求項５に記載の装置。
【請求項７】
前記環状部分の側縁を解除可能に掛止できるアンダカットを形成するために、対応する突出部（１０）が各々の場合に前記Ｕ脚部の内側に生成されるように、前記Ｕ脚部（４、５）の外側が、前記ホース表面に対し平行に延びるビード（９）を有することを特徴とする、請求項６に記載の装置。
【請求項８】
前記環状部分の側縁を解除可能に掛止できるアンダカットを形成するために、対応する突出部（１２）が各々の場合に前記Ｕ脚部の内側に生成されるように、前記Ｕ脚部（４、５）の外側が、少なくとも１つの中央打ち抜きマーク（１１）を有することを特徴とする、請求項６に記載の装置。
【請求項９】
前記環状部分の側縁の前記解除可能な固定のために、前記Ｕ脚部（４、５）の内側の各々が、特に前記環状部分の側縁を解除可能に掛止できる溝、ノッチ（１３）又は他の凹部の形態の１つ以上のアンダカットを有することを特徴とする、請求項５に記載の装置。
【請求項１０】
前記解除可能な固定が、前記環状部分と前記ウェブ（６）との間の解除可能なスナップイン接続又はラッチ接続によって達成されることを特徴とする、請求項１〜４のいずれか一項に記載の装置。
【請求項１１】
前記ウェブがＵ字形のプラスチック部であり、該Ｕ字形のプラスチック部がその開口側（１４）を介して前記ホース表面の方に向き、２つのＵ脚部を接続する前記プラスチック部の前記ウェブ（１５）が軸方向に延びかつ前記ホース表面に対し平行に延び、前記ウェブの前記Ｕ脚部（１６、１７）の端部の各々が、内側方向に向く突出部（１８）を有し、前記突出部が、前記プラスチック部の前記ウェブ（１５）に向かって、前記環状部分の側縁を解除可能に掛止できるアンダカットを形成することを特徴とする、請求項１０に記載の装置。
【請求項１２】
前記Ｕ字形要素の部分又は前記環状部分の部分が、前記ホースクリップ（２）を解除可能に固定するために塑性的に変形可能であることを特徴とする、請求項１〜４のいずれか一項に記載の装置。
【請求項１３】
前記ホースクリップ（２）を解除可能に固定するために、前記Ｕ脚部（４、５）の各々がタブ（１９）を有し、タブは他方のタブの反対側に位置し、その自由端において前記脚部壁から前記中間空間（８）に押され、かつ前記ウェブ（６）と前記タブ（１９）との間に前記環状部分が配置されるように前記ホース表面と整列され、前記タブ（１９）が、前記ホースクリップ（２）の締め付け中に前記脚部壁に押し戻されることを特徴とする、請求項１２に記載の装置。
【請求項１４】
前記Ｕ字形要素の前記ウェブ（６）及び前記ホースクリップ（２）の前記環状部分の両方が貫通孔を有し、かつ前記ホースクリップ（２）の締め付け中にプラスチックリベット（２０）が前記貫通孔から引き出され、前記ホースクリップ（２）が解除されるように前記プラスチックリベット（２０）によって互いに接続されることができることを特徴とする、請求項１〜４のいずれか一項に記載の装置。
【請求項１５】
前記Ｕ字形要素の前記ウェブ（６）が貫通孔を有し、前記ホースクリップの前記環状部分が隆起部（２１）を有し、前記隆起部（２１）が前記貫通孔を通して案内され、かつ前記ホースクリップ（２）を前記Ｕ字形要素に解除可能に固定するために外側方向に曲げられることを特徴とする、請求項１〜４のいずれか一項に記載の装置。
【請求項１６】
前記環状部分が、前記Ｕ脚部（４、５）の間に摩擦により解除可能にクランプされるか又は押し込まれることができ、前記Ｕ脚部（４、５）の内側が前記ウェブ（６）に向かって楔形に収束することを特徴とする、請求項１〜４のいずれか一項に記載の装置。
【請求項１７】
前記接続要素（７）が前記ホース端部（２４）に押圧されることを特徴とする、請求項１〜１６のいずれか一項に記載の装置。
【請求項１８】
前記接続要素（７）が前記ホース端部（２４）に挿入されることを特徴とする、請求項１〜１６のいずれか一項に記載の装置。
【請求項１９】
前記接続要素（７）がＵ字形部分であり、該Ｕ字形部分の開口側（２２）が前記ホース端部（２４）の端側の方に向き、前記接続要素（７）の前記Ｕ脚部（２３）が、好ましくは粘着材料の接合により、前記Ｕ字形要素の前記Ｕ脚部（４）に接続されることを特徴とする、請求項１〜１８のいずれか一項に記載の装置。
【請求項２０】
前記固定部（１、１’、１’’）が金属及び／又はプラスチックから構成されることを特徴とする、請求項１〜１９のいずれか一項に記載の装置。
【発明の詳細な説明】
【技術分野】
【０００１】
本発明は、特に給気及び冷却水ホースのホース端部にホースクリップを事前に位置決めするための装置に関する。
【背景技術】
【０００２】
給気ホースは、例えば、プラスチックパイプ又は金属パイプ、ターボチャージャ、給気クーラ又はエンジンインレット装置のような固定構成要素に確実に接続されなければならない。エラストマホースと剛性の構成要素との間に従来使用されている接続は、主にクランプ原理に基づいている。この原理は、従来の接続、例えばホースクリップによるホースの締結、及び端部片が同様にホースに押圧される最近のプラグイン接続の両方に適用される。
【０００３】
この種類の接続では、ホース端部は、固定接続部片に押圧され、次にホースクリップでクランプされる。ホース及びホースクリップは、通常、供給者側で事前組立されて、最終取付けのために供給されるように製造される。この場合、ホースクリップは、紛失不能にホースに締結されるべきである。ホースクリップは、事前組立段階で軸方向及び半径方向に固定されるように締結されるべきである。しかし、ホースクリップは、妨害されてはならないし、また遮断されてはならない。
【０００４】
特許文献１は、環状設計でありかつ弾性材料から構成される保持部を有するホースクリップを開示しており、この場合、保持部は、互いに隣接して配置される２つの同軸で開口したリングを備え、リングの端部は、ウェブによって軸方向に互いに一対で接続される。この場合、ホースクリップは開口リングの間に挿入される。
【０００５】
特許文献２は、ポリマ材料製のホースを備えかつ特に埋め込んだ補強材が設けられるホース装置を開示しており、この場合、少なくとも１つのホース端部が金属又はプラスチック製の接続部片に押圧され、ねじクリップがホースを接続部片に押圧する。
【先行技術文献】
【特許文献】
【０００６】
【特許文献１】欧州特許出願公開第０５９３８５２Ｂ１号明細書
【特許文献２】独国特許出願公開第１０１２８４５７Ａ１号明細書
【発明の概要】
【発明が解決しようとする課題】
【０００７】
ホースクリップを締結するための公知の解決方法は、あり得る取り付けの誤りをもたらす大きな不都合を有する。さらに、ホースクリップの取り付け中に、それぞれの締結手段によるホース接続部片の損傷が防止されない。
【０００８】
本発明は、簡単な取り付け方法で、ホースクリップをホース端部に事前に締結するという目的、特にホースクリップを事前に位置決めするための構造的に簡単な装置を提供するという目的に基づいており、前記装置は、回転不能にかつ軸方向変位に対抗してホースクリップをホース端部に固定する。
【課題を解決するための手段】
【０００９】
この目的は、請求項１の特徴による装置によって達成される。本発明の発展形態及び有利な改良は従属請求項から理解される。
【００１０】
ホースクリップをホース端部に事前に位置決めするための本発明による装置は、ａ）ホースクリップの環状部分に解除不能に接続されかつホース端部に締結される固定部と、ｂ）１つ以上の、好ましくは２つの固定部であって、固定部の各々がＵ字形要素を有し、このＵ字形要素がホース端部に締結されて、Ｕ字形要素の開口側を介してホース表面の方に向く固定部とを備え、２つのＵ脚部を接続するウェブが軸方向に延びかつホース表面に対し平行に延び、およびホース端部に最も近いＵ脚部は接続要素を有し、この接続要素によってＵ字形要素がホース端部の端側に締結される。
【００１１】
本発明によれば、Ｕ字形要素は、ホースクリップが締め付け中に固定から解除されるように、ホース端部に引き寄せられるホースクリップが環状部分によってＵ字形要素の中間空間に解除可能に固定され、ホースクリップが締め付けられたあとは、固定部は機能しないでホース端部に留まる、ように設計される。
【００１２】
あるいはＵ字形要素は、ホース端部に引き寄せられるホースクリップが環状部分によってＵ字形要素の中間空間に固定されずに（ｌｏｏｓｅｌｙ）配置されるが、２つのＵ脚部によって軸方向変位に対抗して固定され、ホースクリップが締め付けられたあとは、固定部は機能しないでホース端部に留まる、ように設計される。
【００１３】
この種類の簡単な装置によって達成される効果は、規定された、取り付け容易かつ紛失不能な方法で、ホースクリップがホース端部に位置決めされることである。好ましくは互いに均等に離間している固定部が、軸方向及び半径方向のホースクリップの回転を防止する。
【００１４】
この場合、ホースクリップの環状部分に解除不能に接続されかつホース端部に締結される固定部は、クリップ固定点を形成して、ホースクリップの半径方向の回転を防止する。
【００１５】
ホースクリップの軸方向の変位は、別の固定部によって、又は別の、好ましくは２つの別の固定部によって防止される。ホースクリップは、ホース表面から内のり距離をもって、前記固定部に解除可能に固定されるか、あるいは固定されずに配置されることが好ましい。ホースクリップが締め付けられると、ホースクリップバンドの直径が低減され、ホースクリップは上述の固定部から引き出される。
【００１６】
本発明の有利な他の改良によれば、好ましくはスポット溶接によってホースクリップの環状部分に解除不能に接続される固定部は、環状部分に、固定部がホース端部に取り付けられたあと、ホースクリップがホース表面の環状部分の領域にあるように接続されることが意図される。
【００１７】
１つの別の固定部又は複数の別の固定部のように、ホースクリップの環状部分に解除不能に接続される固定部はＵ字形要素を有することが好ましく、このＵ字形要素は、ホース端部に締結されて、Ｕ字形要素の開口側を介してホース表面の方に向き、２つのＵ脚部を接続するウェブは軸方向に延びかつホース表面に対し平行に延び、またホース端部に最も近いＵ脚部は接続要素を有し、この接続要素によってＵ字形要素がホース端部の端側に締結される。
【００１８】
本発明の発展形態では、より簡単かつより優れた方法でホース端部に締結するために、ホース端部に取り付けられる前に、固定部とホースクリップとを接続して１つのユニットを形成できることが意図される。次に、固定部を、それらの接続部片によってホース端部の端側に締結することができ、この結果、ホースクリップは、回動防止してかつ半径方向及び軸方向の変位に対抗して、開口状態でホース端部に位置決めされる。
【００１９】
ホース端部にパイプ接続部片を差し込んだ後、次に、ホースクリップを確実に締め付けることができ、ホースクリップは、別の１つ又は複数の固定部から解除され、ホース端部をパイプ接続部片に押圧する。固定部がマイナスの影響を及ぼすという心配は不要である。固定部は、機能しないでホース端部に留まる。
【００２０】
本発明による固定部は、部品数が低減され、かつ小さな寸法で製造できるので、必要空間は著しく小さい。装置は、ホース端部に簡単に取り付けることができる。
【００２１】
解除可能な固定の代わりとして、事前に位置決めされたホースクリップを軸方向変位に対抗してのみホース端部に固定するように意図される固定部は、ホース端部に引き寄せられるホースクリップが環状部分によってＵ字形要素の中間空間に固定されずに配置されるという事実によって、驚くほど簡単に形成され、固定部は、同様に、ホースクリップが締め付けられた後に機能しないでホース端部に留まる。この場合、２つのＵ脚部は、締め付けの前及びその間に軸方向変位に対してホースクリップを固定する。
【００２２】
本発明の発展形態では、解除可能な固定が、環状部分とＵ脚部との間の解除可能なスナップイン接続又はラッチ接続によって形成されることが意図される。これには、ホースクリップを解除可能に固定する接続の目的を特に容易に満たす特に簡単な設計の接続が含まれる。
【００２３】
さらに、環状部分の解除可能な固定のために、Ｕ脚部の内側の各々が、ウェブに向かって、環状部分の側縁を解除可能に掛止できるアンダカットを形成する１つ以上のフック、スタッド、バルジ又は他の突出部を有することが意図される。この結果、ホースクリップは、１つ又は複数の固定部に特に簡単に接続することができる。
【００２４】
本発明の有利な改良では、環状部分の側縁を解除可能に掛止できるアンダカットを形成するために、対応する突出部が各々の場合に前記Ｕ脚部の内側に生成されるように、Ｕ脚部の外側が、ホース表面に対し平行に延びるビードを有することが意図される。
【００２５】
本発明の代わりの有利な改良では、環状部分の側縁を解除可能に掛止できるアンダカットを形成するために、対応する突出部が各々の場合に前記Ｕ脚部の内側に生成されるように、Ｕ脚部の外側が、少なくとも１つの中央打ち抜きマーク（ｃｅｎｔｅｒ−ｐｕｎｃｈ  ｍａｒｋ）を有することが意図される。
【００２６】
本発明の発展形態では、環状部分の解除可能な固定のために、Ｕ脚部の内側の各々が、特に環状部分の側縁を解除可能に掛止できる溝、ノッチ又は他の凹部の形態の１つ以上のアンダカットを有することが意図される。この場合、Ｕ脚部は事実上スナップインアームを形成する。
【００２７】
本発明によれば、解除可能な固定はまた、環状部分とウェブとの間の解除可能なスナップイン接続又はラッチ接続によって行うことができる。
【００２８】
このため、ウェブはＵ字形のプラスチック部として設計され、このＵ字形のプラスチック部はその開口側を介してホース表面の方に向き、２つのＵ脚部を接続するプラスチック部のウェブは軸方向に延びかつホース表面に対し平行に延び、前記ウェブのＵ脚部の端部の各々は内側方向に向く突出部を有し、前記突出部は、プラスチック部のウェブに向かって、環状部分の側縁を解除可能に掛止できるアンダカットを形成する。
【００２９】
本発明の発展形態では、Ｕ字形要素又は環状部分の部分は、ホースクリップを解除可能に固定するために塑性的に変形可能であることが意図される。
【００３０】
このため、Ｕ脚部の好ましくは各々はタブを有し、タブは他方のタブの反対側に位置し、自由端において脚部壁から中間空間に押され、かつウェブとタブとの間にホースクリップの環状部分が固定して配置されるようにホース表面と整列され、タブはホースクリップの締め付け中に脚部壁に押し戻される。
【００３１】
これには、ラッチ接続又はスナップイン接続よりもむしろ、変形による解除可能な固定が含まれる。このホースクリップ又は環状部分は、まず、Ｕ字形要素の中間空間内にもって来られる。次に、ホースクリップは、タブを押し入れることによってウェブとタブとの間に固定される。ホースクリップが締め付けられるとき、この際にタブに作用する力により、タブの押し込みが再び元に戻される。
【００３２】
さらに、Ｕ字形要素のウェブ及びホースクリップの環状部分の両方が貫通孔を有し、かつホースクリップの締め付け中にプラスチックリベットが貫通孔から引き出され、ホースクリップが解除されるように、プラスチックリベットによって互いに接続されることができることが意図される。
【００３３】
さらに、Ｕ字形要素のウェブが貫通孔を有し、ホースクリップの環状部分が隆起部を有し、この隆起部が貫通孔を通して案内されかつホースクリップをＵ字形要素に解除可能に固定するために外側方向に曲げられることが意図される。この接続は、環状のスナップイン接続であることが好ましい。
【００３４】
この代替方法として、ホースクリップの環状部分は、Ｕ脚部の間に摩擦により解除可能にクランプされるか又は押し込まれることができ、Ｕ脚部の内側はウェブに向かって楔形に収束する。
【００３５】
接続要素は、ホース端部に押圧されるか、あるいはホース端部に挿入されかつ押圧されるか、あるいは成形された開口部に差し込まれかつ押圧されることが好ましい。押圧中にホース接続部片が損傷される危険があるので、挿入の別形態が好ましい。
【００３６】
接続要素は、Ｕ字形部分であることが好適であり、Ｕ字形部分の開口側はホース端部の端側の方に向き、接続要素のＵ脚部は、好ましくは粘着材料の接合により、Ｕ字形要素のＵ脚部に接続される。
【００３７】
固定部は、金属及び／又はプラスチックから構成されることが好ましい。
【００３８】
図面に示した典型的な実施形態を参照して、本発明について以下に説明する。
【図面の簡単な説明】
【００３９】
【図１ａ】ビードと、掛止されたホースクリップとが設けられた固定部の概略側面図である。
【図１ｂ】ホース端部の端側の方向で見た概略頂面図である。
【図２ａ】中央打ち抜きマークと、掛止されたホースクリップとが設けられた固定部の概略側面図である。
【図２ｂ】掛止されたホースクリップのない図２ａに示した部分ｘ−ｘの概略頂面図である。
【図２ｃ】ホース端部の表面の方向で見た概略頂面図である。
【図３ａ】ノッチと、掛止されたホースクリップとが設けられた固定部の概略側面図である。
【図３ｂ】掛止されたホースクリップのない図３ａに示した部分ｘ−ｘの概略頂面図である。
【図３ｃ】ホース端部の表面の方向で見た概略頂面図である。
【図４ａ】成形プラスチック部と、掛止されたホースクリップとが設けられた固定部の概略側面図である。
【図４ｂ】ホース端部の端側の方向で見た概略頂面図である。
【図４ｃ】ホース端部の表面の方向で見た概略頂面図である。
【図５ａ】塑性的に変形可能なタブと固定ホースクリップとが設けられた固定部の概略側面図である。
【図５ｂ】ホース端部の端側の方向で見た概略頂面図である。
【図６ａ】貫通孔と、プラスチックリベットによって固定部に締結されたホースクリップとが設けられた固定部の概略側面図である。
【図６ｂ】ホース端部の端側の方向で見た概略頂面図である。
【図７ａ】貫通孔と、隆起部によって締結されたホースクリップとが設けられた固定部の概略側面図である。
【図７ｂ】ホース端部の端側の方向で見た概略頂面図である。
【図８】長手方向部分に示したホース端部に挿入される接続部片を有する固定部の概略側面図である。
【図９】長手方向部分に示したホース端部に押圧される接続部片を有する固定部の概略側面図である。
【図１０】ホース端部に締結され、かつホースクリップをホース端部に事前に位置決めするために意図される装置の斜視図である。
【発明を実施するための形態】
【００４０】
すべての図において、同一の参照番号は同一の構成要素を指す。
【００４１】
図１は、ビード９と、掛止されたホースクリップ２とが設けられた固定部１の概略図であり、ａ）は側面図であり、ｂ）はホース端部（ここでは図示せず）の端側の方向に見た頂面図である。
【００４２】
固定部１は、ホース端部にパイプ接続部片を差し込む前にホースクリップをホース端部に事前に位置決めするために使用される。この場合、最初にホースクリップをホースからある距離をもって配置すること、すなわち、ホース端部にパイプ接続部片を差し込むことができるように、ホースクリップを締め付けできることが必要である。その後初めて、ホースクリップを締め付けることによって、ホース端部がパイプ接続部片に締結される。
【００４３】
本発明によれば、固定部１はＵ字形要素を備え、このＵ字形要素はホース端部に締結されて、その開口側３を介してホース表面の方に向き、この場合、２つのＵ脚部４、５を接続するウェブ６は軸方向に延びかつホース表面に対し平行に延びる。
【００４４】
ホース端部に最も近いＵ脚部４は接続要素７を有し、この接続要素によってＵ字形要素がホース端部の端側に締結される。本発明によれば、接続要素７はＵ字形部分であり、このＵ字形部分の開口側２２はホース端部の端側の方に向き、この場合、接続要素７のＵ脚部２３は、好ましくは粘着材料の接合により、Ｕ字形要素のＵ脚部４に接続される。
【００４５】
接続要素７は、端側のホース壁が接続要素７のＵ脚部の間に配置される状態でホース端部に押圧されるか、あるいは接続要素７はホース端部に挿入され、Ｕ字形要素のＵ脚部４に接続されない接続要素７のＵ脚部は、次に端側のホース壁内に置かれる。
【００４６】
Ｕ字形要素は、ホースクリップ２が締め付け中に固定から解除されるように、ホース端部に引き寄せられるホースクリップ２が環状部分によってＵ字形要素の中間空間８に解除可能に固定されるように設計され、固定部１は、ホースクリップ２が締め付けられたあとは、機能しないでホース端部に留まる。
【００４７】
図１に示した解除可能な固定は、ホースクリップ２の環状部分とＵ脚部４、５との間の解除可能なスナップイン接続又はラッチ接続である。
【００４８】
本発明によれば、Ｕ脚部４、５の外側は、ホース表面（ここでは図示せず）に対し平行に延びるビード９を有し、それにより、対応する突出部１０が各々の場合に前記Ｕ脚部の内側に生成されて、もって環状部分の側縁が解除可能に掛止されるアンダカットが形成される。この場合、ビード９は、ホースクリップが締め付け中に固定から、すなわちアンダカットから解除されるように設計される。
【００４９】
図２は、中央打ち抜きマーク１１と、掛止されたホースクリップ２とが設けられた固定部１の概略図であり、ａ）は側面図であり、ｃ）は、ホース端部の表面（ここでは図示せず）の方向に見た頂面図であり、ｂ）は、掛止されたホースクリップのない図２ａに示した部分ｘ−ｘの概略頂面図である。
【００５０】
固定部１の一般的な構造に関し、繰り返しを避けるために図１の説明を参照し、同一の参照番号は同一の部分を指す。
【００５１】
図２に示した固定部１は、環状部分の側縁が解除可能に掛止されるか、あるいは図２ｂに関して解除可能に掛止できるアンダカットを形成するために、対応する突出部１２が各々の場合に前記Ｕ脚部の内側に生成されるように、Ｕ脚部の外側がビードを有せず、むしろ少なくとも１つの中心打ち抜きマーク１１を有するという点で、図１に示した固定部１とは異なる。
【００５２】
図３は、ノッチ１３と、掛止されたホースクリップ２とが設けられた固定部１の概略図であり、ａ）は側面図であり、ｃ）は、ホース端部の表面（ここでは図示せず）の方向で見た頂面図であり、ｂ）は、掛止されたホースクリップ２のない図３ａに示した部分ｘ−ｘの頂面図である。
【００５３】
固定部１の一般的な構造に関し、繰り返しを避けるために図１の説明を参照し、同一の参照番号は同一の構成要素を指す。
【００５４】
前記固定部１のＵ脚部４、５の内側の各々は、ホースクリップ２の環状部分を解除可能に固定するために、環状部分の側縁が解除可能に掛止されるか、あるいは図３ｂに関して解除可能に掛止できるノッチ１３の形態のアンダカットを有する。
【００５５】
環状部分とＵ脚部４、５との間の解除可能なスナップイン接続又はラッチ接続の代わりに、環状部分とウェブ６との間に解除可能なスナップイン接続又はラッチ接続も設けることができる。
【００５６】
このような固定部１が図４に示されている。図４は、成形プラスチック部と、掛止されたホースクリップ２とが設けられた固定部１の概略図であり、ａ）は側面図であり、ｂ）は、ホース端部の端側（ここでは図示せず）の方向で見た頂面図であり、ｃ）は、ホース端部の表面（ここでは図示せず）の方向で見た頂面図である。
【００５７】
固定部１の一般的な構造に関し、繰り返しを避けるために図１の説明を参照し、同一の参照番号は同一の構成要素を指す。
【００５８】
本発明によれば、図４に示した固定部１の場合、ウェブ６は、断面がＵ字形であるプラスチック部であり、かつウェブの開口側１４を介してホース表面の方に向き、２つのＵ脚部を接続するプラスチック部のウェブ１５は軸方向に延びかつホース表面に対し平行に延び、前記ウェブのＵ脚部１６、１７の端部の各々は、内側方向に向く突出部１８を有し、前記突出部は、プラスチック部のウェブ１５に向かって、環状部分の側縁が解除可能に掛止されるアンダカットを形成する。
【００５９】
さらに、Ｕ字形要素又は前記環状部分の部分は、ホースクリップ２を解除可能に固定するために塑性的に変形可能であり得る。このような１つの固定部１が図５に示されている。図５は、塑性的に変形可能なタブ及び固定ホースクリップが設けられた固定部の概略図であり、ａ）は側面図であり、ｂ）は、ホース端部の端側（ここでは図示せず）の方向で見た頂面図である。
【００６０】
ホースクリップ２を解除可能に固定するために、Ｕ脚部４、５の各々はタブ１９を有し、タブは他方のタブの反対側に位置し、またこのタブは、タブの自由端において脚部壁から中間空間８に押され、かつウェブ６とタブ１９との間に環状部分が固定されるようにホース表面（ここでは図示せず）と整列される。本発明によれば、ホースクリップが締め付けられるとき、タブ１９は脚部壁に押し戻され、ホースクリップ２が固定から解除される。
【００６１】
解除可能な固定の他の可能性が図６に示されている。図６は、貫通孔と、プラスチックリベット２０によって固定部１に締結されるホースクリップ２とが設けられた固定部１の概略図であり、ａ）は側面図であり、ｂ）は、ホース端部の端側（ここでは図示せず）の方向で見た頂面図である。
【００６２】
固定部１の一般的な構造に関し、繰り返しを避けるために図１の説明を参照し、同一の参照番号は同一の構成要素を指す。
【００６３】
本発明によれば、Ｕ字形要素のウェブ６及びホースクリップ２の環状部分の両方は貫通孔を有し、またプラスチックリベット２０がホースクリップ２の締め付け中にホースクリップ２の貫通孔から引き出され、ホースクリップ２が解除されるように、プラスチックリベット２０によって互いに接続される。
【００６４】
解除可能な固定の他の可能性が図７に示されている。図７は、貫通孔と、隆起部２１によって締結されたホースクリップ２とが設けられた固定部１の概略図であり、ａ）は側面図であり、ｂ）は、ホース端部の端側（ここでは図示せず）の方向で見た頂面図である。
【００６５】
固定部１の一般的な構造に関し、繰り返しを避けるために図１の説明を参照し、同一の参照番号は同一の構成要素を指す。
【００６６】
本発明によれば、Ｕ字形要素のウェブ６は貫通孔を有するが、ホースクリップ２の環状部分は隆起部２１を有し、この場合、隆起部２１は貫通孔を通して案内され、かつホースクリップ２をＵ字形要素に解除可能に固定するために外側方向に曲げられる。ホースクリップ２が締め付けられると、隆起部２１は変形によって貫通孔から引っ張られ、ホースクリップ２が固定部１から解除される。
【００６７】
図８は、ホース端部２４（長手方向部分で図示）に挿入される接続部片７を有する本発明による固定部１の概略側面図である。この場合、Ｕ字形要素のＵ脚部４に接続されない接続要素７のＵ脚部は、端側のホース壁に配置される。
【００６８】
固定部１の一般的な構造に関し、繰り返しを避けるために図１の説明を参照し、同一の参照番号は同一の構成要素を指す。
【００６９】
図９は、ホース端部２４（長手方向部分で図示）に挿入される接続部片７を有する本発明による固定部１の概略側面図である。この場合、端側のホース壁は、接続要素７のＵ脚部の間に配置される。
【００７０】
固定部１の一般的な構造に関し、繰り返しを避けるために図１の説明を参照し、同一の参照番号は同一の構成要素を指す。
【００７１】
ホースクリップ２の環状部分（断面で図示）は、固定部１のＵ字形要素の中間空間８に配置され、前記環状部分は、各々の場合に図１〜図７に示した解除可能な固定と対照的に、Ｕ字形の要素の中間空間８に固定されずにかつホース表面からある距離をもってのみ配置され、ホースクリップ２は軸方向変位に対抗してホース端部２４に固定される。
【００７２】
ホースクリップ２が締め付けられた後、固定部１はまた、機能しないでホース端部２４に留まる。
【００７３】
図１０は、ホース端部２４に締結され、かつホースクリップ２をホース端部２４に事前に位置決めするために意図される本発明による装置の斜視図である。
【００７４】
この場合の装置は、３つの固定部１、１’、１’’を備え、そのそれぞれのＵ字形の接続部片７、７’が、ホース端部２４に挿入される。この場合、Ｕ字形要素のＵ脚部４、４’に接続されない接続要素７のＵ脚部は、端側のホース壁内に置かれる。
【００７５】
装置の固定部１’は、スポット溶接によってホースクリップ２の環状部分に解除不能に接続される。この領域では、ホースクリップ２はホース表面にある。前記固定部１’によって、ホースクリップ２を、回転不能にホース端部２４に事前に位置決めすることができ、後で最終的に取り付けることができる。
【００７６】
他の２つの固定部１および１’では、ホースクリップ２は、各々の場合に、正確にはホース表面から比較的大きな半径方向距離をもって、環状部分によって、解除可能に固定され、好ましくは掛止されるか又はクリップ留めされる。前記固定部１および１’’によって、特に軸方向変位に対抗してホースクリップ２をホース端部２４に事前に位置決めすることができる。
【００７７】
本装置によって達成される効果は、ホースクリップ２は、軸方向及び半径方向に変位に対抗して固定され、その結果、優れた取付け特性を有することである。
【００７８】
ホース端部２４にパイプ接続部片（ここでは図示せず）が差し込まれた後、ホースクリップ２をしっかりと締め付け、その結果、最終的に取り付けることができ、ホースクリップは固定部１と１’’から解除され、ホース端部２４をパイプ接続部片に確実に押圧する。固定部１と１’’は、機能しないでホース端部２４に留まる。
【符号の説明】
【００７９】
１  固定部
２  ホースクリップ
３  開口側
４  Ｕ脚部
５  Ｕ脚部
６  ウェブ
７  接続要素
８  中間空間
９  ビード
１０  突出部
１１  中央打ち抜きマーク
１２  突出部
１３  ノッチ
１４  開口側
１５  ウェブ
１６  Ｕ脚部
１７  Ｕ脚部
１８  突出部
１９  タブ
２０  プラスチック製リベット
２１  隆起部
２２  開口側
２３  Ｕ脚部
２４  ホース端部
【図１ａ】
2010501797.tif 000003
【図１ｂ】
2010501797.tif 000004
【図２ａ】
2010501797.tif 000005
【図２ｂ】
2010501797.tif 000006
【図２ｃ】
2010501797.tif 000007
【図３ａ】
2010501797.tif 000008
【図３ｂ】
2010501797.tif 000009
【図３ｃ】
2010501797.tif 000010
【図４ａ】
2010501797.tif 000011
【図４ｂ】
2010501797.tif 000012
【図４ｃ】
2010501797.tif 000013
【図５ａ】
2010501797.tif 000014
【図５ｂ】
2010501797.tif 000015
【図６ａ】
2010501797.tif 000016
【図６ｂ】
2010501797.tif 000017
【図７ａ】
2010501797.tif 000018
【図７ｂ】
2010501797.tif 000019
【図８】
2010501797.tif 000020
【図９】
2010501797.tif 000021
【図１０】
2010501797.tif 000022
【国際調査報告】
2010501797.tif 000023
2010501797.tif 000024
2010501797.tif 000025
2010501797.tif 000026
2010501797.tif 000027
2010501797.tif 000028